(57)【要約】  少なくとも１つの波形化領域を有する１以上のサイドフラップ又はウィングを備えた使い捨て吸収性物品が開示される。波形化領域は、多数の隆起部及び凹部を有する波形化材料と、波形化材料に対向する剥離材料と、これら波形化材料及び剥離材料の間にある多数のグルーストリップとを含む。グルーストリップは、波形化材料の隆起部の頂部に取り付けられる。また、波形化領域を含む複合材料を作製する方法も開示される。
2007521932.tif 000002
【特許請求の範囲】
【請求項１】
１以上のサイドフラップ又はウィングを備えるとともに、長手方向と長手方向に直交する横断方向とを有する使い捨て吸収性物品であって、
（ａ）流体透過性トップシートと、
前記トップシートに対向する流体不透過性バックシートと、
前記トップシート及び前記バックシートの間に設けられた吸収性コアと、
（ｂ）前記横断方向に延在し、多数の隆起部及び凹部を含む少なくとも１つの波形化領域を有する前記１以上のウィングであって、前記隆起部は、前記物品の衣類に面する表面の側へ隆起し、前記物品の衣類に面する表面の側へ隆起する前記隆起部が、前記隆起部の頂部に取り付けられたグルーストリップを有する、前記１以上のウィングと、
（ｃ）前記少なくとも１つの波形化領域を被覆するための剥離材料であって、前記グルーストリップと接触する剥離材料と、
を備える、使い捨て吸収性物品。
【請求項２】
経血を吸収するための生理用ナプキン、又は、尿を吸収するための失禁パッドである、請求項１に記載の物品。
【請求項３】
前記多数の隆起部及び凹部は、前記長手方向に直交する方向に延びる、請求項１又は２に記載の物品。
【請求項４】
前記多数の隆起部及び凹部は、前記長手方向に平行な方向に延びる、請求項１又は２に記載の物品。
【請求項５】
前記多数の隆起部及び凹部は、０°より大きく、９０°より小さい角度を前記長手方向と形成する方向に延びる、請求項１又は２に記載の物品。
【請求項６】
前記少なくとも１つの波形化領域は、第２の波形化領域の多数の隆起部及び凹部とは異なる方向に延びる多数の前記隆起部及び凹部を含む、請求項１又は２に記載の物品。
【請求項７】
前記隆起部及び凹部は、約１ｍｍ〜約５ｍｍのピッチを有する、請求項１〜６のいずれか一項に記載の物品。
【請求項８】
前記隆起部及び凹部は、約１ｍｍ〜約６ｍｍの高さを有する、請求項１〜７のいずれか一項に記載の物品。
【請求項９】
前記バックシートは、少なくとも１つの波形化領域を含む、請求項１〜８のいずれか一項に記載の物品。
【請求項１０】
波形化材料と、波形化材料に対向する剥離材料と、前記剥離材料及び前記波形化材料の間に設けられ、前記波形化材料の頂部に取り付けられた多数のグルーストリップと、を含む複合材料を製造する方法であって、
（ａ）逆回転するとともに互いに係合する少なくとも２つの波形ロールであって、前記波形ロールが前記波形ロールの外側表面上に設けられた多数の隆起部及び凹部を有し、前記隆起部が前記波形ロールの回転軸に直交して延び、あるピッチで互いに離間している、２つの波形ロールを準備する工程と、
（ｂ）前記波形ロールの間に第１材料を供給し、前記第１材料を多数の隆起部及び凹部を有する波形化材料に変形させる工程と、
（ｃ）前記第１材料の溶融温度未満の温度で前記波形化材料を熱処理する工程と、
（ｄ）機械方向に前記ピッチで設けられた多数のグルーストリップを有する剥離材料を供給する工程と、
（ｅ）前記剥離材料と前記波形化材料とを組み合わせる工程であって、前記多数のグルーストリップが前記波形化材料の前記隆起部の頂部に取り付けられ、前記複合材料を形成する工程と、
を備えた方法。
【請求項１１】
前記剥離材料を供給する工程は、グルーアプリケータを用いて多数のグルーストリップを堆積させる工程をさらに含む、請求項１０に記載の方法。
【請求項１２】
前記グルーアプリケータはスロットアプリケータである、請求項１１に記載の方法。
【請求項１３】
前記組み合わせる工程は、前記剥離材料を前記波形化材料に押し付けて、前記グルーストリップを前記波形化材料の前記隆起部に取り付ける工程をさらに含む、請求項１０〜１２のいずれか一項に記載の方法。
【請求項１４】
波形化材料と、波形化材料に対向する剥離材料と、前記剥離材料及び前記波形化材料の間に設けられ、前記波形化材料の頂部に取り付けられた多数のグルーストリップと、を含む複合材料を製造する方法であって、
（ａ）逆回転するとともに互いに係合する少なくとも２つの波形ロールであって、前記波形ロールが前記波形ロールの外側表面上に設けられた多数の隆起部及び凹部を有し、前記隆起部が前記波形ロールの回転軸に直交して延び、あるピッチで互いに離間している、２つの波形ロールを準備する工程と、
（ｂ）前記波形ロールの間に第１材料を供給し、前記第１材料を多数の隆起部及び凹部を有する波形化材料に変形させる工程と、
（ｃ）前記第１材料の溶融温度未満の温度で前記波形化材料を熱処理する工程と、
（ｄ）グルー被覆ロールを準備し、前記波形化材料の前記隆起部の頂部をグルーと接触させ、前記グルーを前記グルー被覆ロールから前記波形化材料の前記隆起部の前記頂部へと移動させる工程と、
（ｅ）剥離材料を供給する工程と、
（ｆ）前記剥離材料と前記波形化材料とを組み合わせる工程であって、前記頂部にある前記グルーは前記波形化材料及び前記剥離材料の間に設けられ、前記複合材料を形成する工程と、
を備える方法。
【請求項１５】
前記リングロールの前記溝間の前記ピッチは、約１ｍｍ〜約５ｍｍである、請求項１０〜１４のいずれか一項に記載の方法。
【請求項１６】
前記複合材料は、使い捨て吸収性物品のウィングを含む、請求項１０〜１５のいずれか一項に記載の方法。
【請求項１７】
前記複合材料は、使い捨て吸収性物品のバックシートを含む、請求項１０〜１５のいずれか一項に記載の方法。
【発明の詳細な説明】
【技術分野】
【０００１】
本発明は、波形化領域を有するウィング又はサイドフラップを備えた使い捨て吸収性物品及びその製造方法に関する。
【背景技術】
【０００２】
ウィングを備えた使い捨て吸収性物品は、本明細書においては、身体排出物を吸収するためのパーソナルケア物品を指す。典型的には、ウィングを有するこの物品としては、経血（並びに他の膣滲出物）を吸収するための生理用ナプキン、パンティライナー、尿を吸収するための成人用失禁パッドなどが挙げられる。これらのウィングは、着用者の身体上に物品を適切に位置付けるために着用者のパンティと物品とを一体化する、物品が漏れを防ぎ損ねた時に排泄物によりパンティが「汚れる」のを防ぐなどの幾つかの機能を付与するべく使用されてきた。しかしながら、パンティのクロッチ領域の周囲に巻かれたウィングを有する物品を含有するパンティは、パンティのクロッチ領域の幅及び形状の変化に起因するある身体的な不快感を着用者に与える可能性があり、この変化は巻かれたウィングによって生じる場合が多い。身体的な不快感の別の要因は、着用者の身体の動きに対応して拡張及び収縮する弾性機能が緩んだパンティに起因する可能性がある。
【０００３】
図１は、使い捨て吸収性物品の従来のウィング２の写真を示しており、このウィング２は、クロッチ領域７においてパンティ６のパンティ縁部３の周囲に巻かれるか、又は折り込まれる。従来のウィング２の折り込まれた縁部５はパンティ縁部３の湾曲８に追従しないので、縁部３と折り込まれた縁部５との間には間隔９が生じ、それにより折り込まれたウィングを備えた婦人用物品を含有するパンティのクロッチ領域の幅及び形状を変化させることが分かる。また、従来の折り込まれたウィング２には皺４があり、この皺４も着用者の身体的な不快感の一因となり得ることが分かる。
【０００４】
更に、図１の従来のウィング２の折り込まれた縁部５は、典型的には、着用者がパンティ６を着用している間、弾性特性を有する場合が多いパンティ縁部３が拡張又は収縮する時、その拡張又は収縮に逆らう傾向を有する。このように従来のウィング２がパンティ縁部３の弾性機能に順応しないことも着用者の身体的な不快感の一因となり得る。
【発明の開示】
【発明が解決しようとする課題】
【０００５】
故に、着用者によってパンティの縁部周囲に折り込まれた時に、縁部の湾曲に適合し、着用者の身体的な快適性を向上させることができるウィングを備えた使い捨て吸収性物品を供給することが有利である。更に、着用者が着用している間、パンティの弾性縁部の拡張又は収縮に順応するべく拡張又は収縮することができるウィングを備えた婦人衛生物品を供給することが有利である。最後に、上記利点を付与することができるウィングの材料を製造する方法を供給することが有利である。
【課題を解決するための手段】
【０００６】
１つの態様において、本発明は、１以上のウィングを有する使い捨て吸収性物品に関する。この物品は、流体透過性トップシートと、前記トップシートに対向する流体不透過性バックシートと、前記トップシート及び前記バックシートの間に配置された吸収性コアとを備え、長手方向と、それに直交する横断方向とを有する。前記１以上のウィングは前記横断方向に延び、少なくとも１つの波形化領域を含み、この波形化領域は交互に並ぶ多数の隆起部及び凹部を含み、前記隆起部は前記物品の衣類に面する表面の側へ隆起し、前記隆起部の頂部に取り付けられたグルーストリップを有する。この物品は更に、前記少なくとも１つの波形化領域を被覆するための剥離材料を含み、前記剥離材料は前記グルーストリップと接触する。使い捨て吸収性物品は、経血を吸収するための婦人衛生物品であるか、又は尿を吸収するための少量失禁用物品である。
【０００７】
別の態様において、本発明の使い捨て吸収性物品のバックシートは、少なくとも１つの波形化領域を含み得る。
【０００８】
別の態様において、本発明は、本発明の使い捨て吸収性物品のウィング及び／又はバックシートとして使用するための複合材料を製造する方法に関する。本発明の複合材料は、波形化材料と、波形化材料に対向する剥離材料と、剥離材料及び波形化材料の間に配置され、波形化材料の頂部に取り付けられた多数のグルーストリップとを含み得る。この方法は、逆回転し、互いに係合することができる少なくとも２つの波形ロールを供給する工程を包含する。前記リングロールは、前記波形ロールの回転軸に直交して配置された多数の隆起部及び凹部を有することができ、前記隆起部は、あるピッチで互いに離間している。この方法は、前記波形ロール間に第１材料を供給し、前記第１材料を変形して、多数の隆起部及び凹部を有する波形化材料にする工程をさらに包含する。この方法は、前記第１材料の溶融温度未満の温度で前記波形化材料を熱処理する工程をさらに包含する。この方法は、前記ピッチでその間に機械方向に配置された多数のグルーストリップを有する剥離材料を供給する工程をさらに包含する。この方法は、前記剥離材料を前記波形化材料と組み合せる工程をさらに包含し、前記多数のグルーストリップは、前記波形化材料の前記隆起部の頂部に取り付けられ、前記複合材料を形成する。
【０００９】
あるいは、本発明の方法はグルー被覆ロールを包含し、前記グルー被覆ロールは、前記グルー被覆ロールから前記波形化材料の前記隆起部の前記頂部までグルーを移動させるためのものである。
【００１０】
引用される全ての文献は、その関連部分において本明細書に参考として組み込まれ、いずれの文献の引用もそれが本発明に関連する先行技術であることの容認として解釈されるべきではない。
【発明を実施するための最良の形態】
【００１１】
図面において、同様の参照番号は同一要素又は機能的に類似する要素を指す。
【００１２】
定義
本明細書の範囲内で、次の各用語又は語句は以下の意味を含む。しかしながら、これらの用語を、本明細書の他の部分では別の言葉でさらに定義する場合もある。
【００１３】
本明細書で使用するとき、「使い捨て吸収性物品」という用語は、一般的に体液を吸収及び保持する考案物を指す。この用語は身体から排出された排泄物及び／又は滲出物を吸収して封じ込めるために着用者の身体に当てたり、身体の傍に配置される考案物を指しており、これには、生理用ナプキン、パンティライナー、成人用失禁パッド、乳児用おむつ、創傷包帯などのパーソナルケア物品が含まれる。特定的には、本発明は、サイドフラップ又はウィングを有する使い捨て吸収性物品に関する。典型的には、ウィングを有するこの物品としては、経血（並びに他の膣滲出物）を吸収するための生理用ナプキン及び尿を吸収するための成人用失禁パッドが挙げられる。しかしながら、本発明は、サイドウィング又はフラップを有するいかなる使い捨て吸収性物品をも含み得ることに留意すべきである。
【００１４】
用語「使い捨て」は、本明細書において、一般に、洗濯する若しくは別の方法で復元する、又は元来の機能で広く再利用することを意図しない製品を描写するのに使用される。
【００１５】
本明細書において、用語「身体面表面」は、着用者に適合される時、身体の方に向いた表面を指す。
【００１６】
本明細書において、用語「衣類に面する表面」は、着用者に適合される時、衣類の方に向いた、即ち、身体に面する表面に対向する表面を指す。
【００１７】
本明細書において、用語「扇形」は、パンティ縁部において隣接する波形間の距離が、パンティ縁部から離れたところに配置される隣接する波形間の距離よりも小さい、使い捨て婦人衛生物品の折り込まれたウィングの波形化領域の形状について言う。
【００１８】
本明細書において、用語「長手方向」は、物品を着用したときに、起立した着用者の体を左半分と右半分に二等分する垂直面と概ね並び合う（例えば、ほとんど並行する）使い捨て吸収性物品の平面における線、軸線、又は方向を指す。
【００１９】
本明細書において、「横断方向」又は「横」は、互換的であり、長手方向に直交する、線、軸又は方向を指す。
【００２０】
本明細書において、用語「ウェブ」は、単層又は多層を有するフィルム、不織布又はこれらのいずれかの組み合わせなどのいずれかの連続材料を指す。
【００２１】
用語「不織布」は、本明細書において、スパンボンド及びメルトブローンのようなプロセスによって織らずに又は編まずに連続フィラメント及び／又は不連続繊維から作製される材料を指す。不織布材は、不織布材の１以上の層を含むことができ、各層は、連続フィラメント又は不連続繊維を含むことができる。
【００２２】
用語「フィルム」は、本明細書において、金型の細い隙間を通してポリマー物質を押し出すことを含むプロセスによって作製される、いかなるポリマーフィルムをも指す。ポリマーフィルムは、流体不透過性及び気相透過性であり得る。
【００２３】
本明細書において、用語「機械方向」又は「ウェブ方向」は互換的であり、使い捨て吸収性物品の製造において１以上のウェブが移動する方向を指す。
【００２４】
用語「機械横方向」は、機械方向に概ね直交する方向を指す。
【００２５】
説明
図１は、クロッチ領域７においてパンティ６の湾曲した縁部３の周囲に巻かれるか、又は折り込まれた使い捨て吸収性物品の従来のウィング２を例証する写真であり、従来のウィング２の折り込まれた縁部５はパンティ縁部３の湾曲８に適合しないので、折り込まれた縁部５及びパンティ縁部３の湾曲８の間に間隔９を生じる。これにより、湾曲８の周囲にうまく折り込まれずに、皺４を生じる可能性がある。上述のように、このような状態は着用者の身体的な不快感の一因となり得る。更に、上述のように、図１の従来のウィング２の折り込まれた縁部５は、典型的には、着用者がパンティ６を着用している間、弾性特性を有する場合が多いパンティ縁部３が拡張又は収縮可能である時、その拡張又は収縮に逆らう傾向を有する。従来のウィング２のこの欠陥も着用者の身体的な不快感の一因となる可能性がある。
【００２６】
図２及び図３は、クロッチ領域７においてパンティ６のパンティ縁部３の周囲に巻かれるか、又は折り込まれた本発明の使い捨て吸収性物品のウィング２２Ａ及び２２Ｂそれぞれの２つの代表的な実施形態を例証する写真を示し、ウィング２２Ａ及び２２Ｂの折り込まれた縁部５はパンティ縁部３の湾曲８に適合し、図１に示す望ましくない状態を解消する。更に、以下に記載されるように、本発明のウィングの折り込まれた縁部５は、パンティ縁部３と共に拡張又は収縮し、それにより上述の従来のウィングに典型的な拡張又は収縮に対する抵抗性を低減することができる。故に、本発明の吸収性物品のウィングの上記能力は、従来のウィングに関して上述した望ましくない状態を解消し、着用者の身体的な快適性に寄与することができる。
【００２７】
図４は、図３の線４−４に沿って切り取った、パンティ縁部３の周囲に巻かれるか、又は折り込まれた本発明の代表的なウィング２２Ｂの断面図である。（しかしながら、同じ断面図が図２のウィング２２Ａに関しても見られることに留意すべきである。）
図４に示されるように、本発明のウィングは、交互に並ぶ多数の溝２４及び隆起部２６を含む波形化形状を有する。パンティの周囲に折り込まれる時、隆起部２６は、パンティ縁部３を含むクロッチ領域７におけるパンティ６の両対向表面６Ａ及び６Ｂに固着され、グルー２８が隆起部２６の頂部３０と、表面６Ａ及び６Ｂのそれぞれとの間に配置される。故に、ウィング２２Ｂは隆起部２６の頂部３０のところのみでパンティ６に固定される。即ち、多数の隆起部２６は好適な間隔、例えばピッチＰ１で互いに離間している。（隆起部２６の「頂部」という用語は、本明細書においては、ある点ではなく、実際には大きさが適切に変化し得る隆起部２６頂部の比較的小さな領域を指すことに留意すべきである。かかる構成により、図５及び図６に示すように、パンティ縁部３を含むパンティ６の拡張又は収縮中、波形間、即ち隆起部２６間の拡張又は収縮が可能になる。図５は、図４に示すウィングと比較して拡張し、隆起部２６間のピッチＰ２が図４のピッチＰ１よりも大きいウィング２２Ｂの波形を示す。図６は、図４に示すウィングと比較して収縮し、隆起部２６間のピッチＰ３が図４のピッチＰ１よりも小さいウィング２２Ｂの波形を示す。
【００２８】
図７は、本発明の使い捨て吸収性物品、特に婦人衛生物品１０Ａの１つの代表的な実施形態の平面図を例証する写真であり、その身体面表面１４が読者（viewer）の方を向いている、即ち、（着用者から排出された経血及び／又は尿などの排泄流体を通過させるための）トップシート１２が読者の方を向いている。物品１０Ａは、図２に示すクロッチ領域の周囲に巻かれるか、又は折り込まれる前のウィング２２Ａを包含する。
【００２９】
図８は、本発明の使い捨て吸収性物品、特に婦人衛生物品１０Ｂの別の代表的な実施形態を例証する写真であり、その身体面表面１４が読者の方を向いている、即ち、（着用者から排出された経血及び／又は尿などの排泄流体を通過させるための）トップシート１２が読者の方に面している。物品１０Ｂは、図２に示すクロッチ領域の周囲に巻かれるか、又は折り込まれる前のウィング２２Ｂを包含する。
【００３０】
図９は、図８の物品１０Ｂの平面図であり、その衣類に面する表面１８が読者の方を向いている、即ち、（排泄流体が通り抜けるのを防ぐための）流体不透過性バックシート１６が読者の方に面している。物品１０Ｂは、トップシート１２及びバックシート１６の間に挟まれ、トップシート１２を通過した排泄流体を吸収するための吸収性コア２０を含む。典型的には、物品１０Ｂは長手方向中心線１７を有し、この長手方向中心線１７は、好ましくは長手方向Ｌに物品１０Ｂを対称的に分断する。示すように、長手方向Ｌは、長手方向中心線１７に平行であり、横断方向又は横方向Ｔに垂直である。
【００３１】
物品１０Ｂは、好ましくは、吸収性コア２０から反対方向に横に延びる２つのウィング２２Ｂを含む。ウィング２２Ｂのそれぞれは、上述のように、隆起部の頂部にグルーストリップ２８を有する少なくとも１つの波形化領域Ｃを含む。波形化領域Ｃは、ウィング２２Ｂの一部又は全部に延び得る。（後に説明するように、波形化領域Ｃはまた、バックシート１６の一部又は全部の領域を含み得ることに留意すべきである。）
物品１０Ｂは更に、グルー２８を被覆する剥離材料３２を備える。加えて、物品１０Ｂは更に、バックシート１６を被覆するための剥離材料３４を含んでもよく、この剥離材料３４も、バックシート１６の衣類に面する表面１８を着用者のパンティに取り付けるためのグルー（図示せず）で被覆されてもよい。
【００３２】
図１０は、線１０−１０に沿って切り取った図９の物品の波形化領域の拡大断面図であり、隆起部２６及び凹部又は溝２４を含み、隆起部２６の頂部３０でグルー２８によって剥離材料３２に取り付けられたウィング２２Ｂの波形化領域Ｃを示している。
【００３３】
トップシート
本発明の婦人衛生物品のトップシート１２は、好ましくは適合性で、柔軟な感触で、着用者の皮膚に刺激がない。トップシート１２はまた、一方向又は二方向に弾性的に伸縮可能である。上述のように、トップシート１０は、本来流体透過性であり、体液（例えば、経血及び／又は尿）は、その厚さを容易に通過することができる。好適なトップシート１２は、織布材及び不織布材、孔あき成形熱可塑性フィルム、孔あきプラスチックフィルム及び油圧成形熱可塑性フィルムのようなポリマー材料、並びに多孔質発泡体、網状発泡体、網状熱可塑性フィルム及び熱可塑性スクリムなどの広い範囲の材料から製造することができる。好適な織布材料及び不織布材は、天然繊維（例えば、木材繊維若しくは綿繊維）、合成繊維（例えば、ポリエステル繊維、ポリプロピレン繊維、若しくはポリエチレン繊維などの高分子繊維）、又は天然繊維と合成繊維との組み合わせを含むことができる。
【００３４】
更に、トップシート１２は、嵩高不織布トップシート及び孔あき成形フィルムトップシートから選択することができる。好適な成形フィルムは、米国特許第３，９２９，１３５号、同第４，３２４，２４６号、同第４，３４２，３１４号、同第４，４６３，０４５号、及び同第５，００６，３９４号に説明されている。更に、微小孔あき成形フィルムのトップシートが、米国特許第４，６０９，５１８号及び同第４，６２９，６４３号に開示されている。
【００３５】
更に、トップシート１２は、均一な流体通路分布を有さなくてもよく、トップシート１２の一部分のみが流体通路を含むことも本発明によって考慮される。典型的には、かかるトップシートは、その中心部が流体透過性で、周囲部が流体不透過性トップシートとなるように配向される流体通路を有する。
【００３６】
更に、成形フィルムトップシートの身体面表面は親水性であり得、故に、身体面表面が親水性でない場合よりも速い速度で流体がトップシート１２を通り抜けるのを助ける。あるいは、トップシートの身体面表面は、先に参照した米国特許第４，９５０，２５４号に記載されているような界面活性剤を用いて処理することによって親水性を持たせることができる。
【００３７】
バックシート
バックシート１６は、吸収性コア２０に吸収され、封じ込められた排泄物が下着及び本発明の婦人衛生物品と接触し得る他の衣類物品を濡らすのを防ぐ。上述のように、バックシート１６は、流体（例えば、経血及び／又は尿などの身体排泄物）に対して不透過性であり、好ましくは、薄いプラスチックフィルムから製造されるが、他の可撓性の流体不透過性材料を使用することもできる。バックシート１６は順応性があって、人間の身体の一般的な形状及び輪郭に容易に順応する。バックシート１６は、好ましくは一方向又は二方向に弾性的に拡張させる特性を有し得る。
【００３８】
更に、バックシート１６は、織布材若しくは不織布材、ポリエチレン若しくはポリプロピレンの熱可塑性フィルムなどのポリマーフィルム、又はフィルムコーティング不織布材などの複合材料を含み得る。好ましくは、バックシートは、約０．０１２ｍｍ〜約０．０５１ｍｍの厚さを有するポリエチレンフィルムである。代表的なポリエチレンフィルムが、オハイオ州シンシナティのクロペイ社（Clopay Corporation）によりＰ１８−０４０１の名称で製造され、インディアナ州テレホート（Terre Haute）のエチル社（Ethyl Corporation）のビスクイーン部門（Visqueen Division）によりＸＰ−３９３８５の名称で製造されている。バックシート１６は、より布地のような外観を呈するようにエンボス加工及び／又はマット仕上げを施されるのが好ましい。更に、バックシート１６は、滲出物がバックシートを通り抜けるのを防ぎつつも吸収性構造から蒸気を逃がすことを可能にする（即ち、通気性である）ことができる。特に、意図した用途に従って少量の流体を吸収する婦人衛生物品の場合、トップシート１０に関して先に開示したもののような、吸収性コア２０に向かって流体を輸送する孔あき疎水性ポリマーフィルムを通気性バックシートとして利用することができる。
【００３９】
吸収性コア
本発明の婦人衛生物品の吸収性コア２０は、経血及び／又は尿などの排出流体を吸収することができるいかなる好適な吸収性コアでもあり得る。例えば、吸収性コア２０は、任意に以下の構成要素（図示せず）を含み得る：（ａ）第１流体分配層；（ｂ）第２流体分配層；（ｃ）流体貯蔵層；（ｄ）貯蔵層の下に位置する繊維性（「ダスティング」）層；及び（ｅ）他の任意な構成要素。
【００４０】
（ａ）第１流体分配層
第１流体分配層は、典型的にはトップシート１２の下に設けられ、それと流体連通している。トップシート１２は、獲得した排出流体をこの第１流体分配層へ移動させ、最終的には貯蔵層へ分配する。この第１流体分配層を通過する流体の移動は、厚さ方向だけでなく、吸収性物品の長さ方向及び幅方向に沿っても起こる。
【００４１】
（ｂ）第２流体分配層
第２流体分配層は、典型的には第１流体分配層の下に設けられ、それと流体連通している。この第２流体分配層の目的は、第１流体分配層から流体を容易に獲得し、迅速に下の貯蔵層へと移動させることである。これにより、下にある貯蔵層の流体保持能力を助け、利用率を高めている。
【００４２】
（ｃ）流体貯蔵層
流体貯蔵層は、第１又は第２分配層と流体連通するように配置され、典型的にはその下に設けられ得る。流体貯蔵層は、吸収性ゲル材料及び／又は吸収性ゲル材料のためのキャリアマトリックスを形成し得る他の吸収性材料を含むことができる。吸収性ゲル材料は、通常「ヒドロゲル」、「超吸収性」、「ヒドロコロイド」材料と呼ばれる。吸収性ゲル材料は、水性流体、特に水性体液と接触すると、このような流体を吸収し、故にヒドロゲルを形成するものである。これらの吸収性ゲル材料は、一般に大量の水性体液を吸収することができ、更にそのような吸収した流体を適度の圧力下で保持することができる。これらの吸収性ゲル材料は、離散粒子の形態であり得る。
【００４３】
更に、流体貯蔵層は、吸収性ゲル材料を単独で含むことができ、又はこれらの吸収性ゲル材料は、好適なキャリア中に均一に、又は不均一に分散されるか、又は吸収性キャリア材料を単独で含むことができる。好適なキャリアとしては、毛羽状のセルロース繊維、吸収性コアで従来使用されているようなティッシュ又は紙が挙げられる。剛化セルロース繊維のような変性セルロース繊維も使用することができる。また合成繊維も使用することができ、これには、酢酸セルロース、ポリフッ化ビニル、ポリ塩化ビニリデン、アクリル（オーロンなど）、ポリ酢酸ビニル、不溶性ポリビニルアルコール、ポリエチレン、ポリプロピレン、ポリアミド（ナイロンなど）、ポリエステル、二成分繊維、三成分繊維、及びこれらの混合物などから作られるものが挙げられる。合成繊維は、フィラメント当たり約３デニール〜フィラメント当たり約２５デニール、又はフィラメント当たり約５デニール〜フィラメント当たり約１６デニールのデニールを有し得る。また、繊維表面は親水性であるか、又は親水性処理を施されることができる。貯蔵層はまた、再び濡れるという問題を減少させるために、パーライト、珪藻土、バーミキュライトなどの充填剤材料を含むこともできる。
【００４４】
更に、キャリア内で不均一に分散される場合でも、貯蔵層は局所的に均一である、即ち、貯蔵層の寸法内で一方向又は複数の方向に分配勾配を有し得る。また、不均一な分布とは、部分的又は全体的に吸収性ゲル材料を封入するキャリアの積層体について言う場合もある。積層体を使用する場合、それら積層体は、吸収性ゲル粒子を含んで、又は含まないで形成され得る。特に、熱接合エアレイド繊維性シート若しくは積層体、及び／又は熱接合ウェットレイドシート若しくは積層体は、特に、吸収性ゲル材料を使用しない時に、パンティライナーとの関連で有用であることが見出された。
【００４５】
更に、貯蔵層は、約１５〜１００％の吸収性ゲル材料と、０〜約８５％のキャリアとを含み得る。本明細書で使用するのに好適な吸収性ゲル材料は、実質的に非水溶性で、僅かに架橋し、部分的に中和したポリマーゲル材料を含む場合が最も多い。この材料は、水と接触するとヒドロゲルを形成する。このようなポリマー材料は、重合可能な不飽和の酸含有モノマーから調製することができる。好適な不飽和酸性モノマーとしては、米国特許第４，６５４，０３９号（再特許第３２，６４９号として再発行）に列挙されるものが挙げられる。モノマーとしては、アクリル酸、メタクリル酸、及び２−アクリルアミド−２−メチルプロパンスルホン酸が挙げられる。不飽和酸含有モノマーから形成されたポリマー成分は、デンプン又はセルロースといった他の種類のポリマー部分にグラフトすることができる。このタイプのポリアクリレートグラフトデンプン材料も含まれる。従来タイプのモノマーから調製できるポリマー吸収性ゲル材料としては、加水分解アクリロニトリルグラフトデンプン、ポリアクリレートグラフトデンプン、ポリアクリレート、無水マレイン酸系コポリマー及びこれらの組み合わせが挙げられる。これらの吸収性ゲル材料は典型的には粒子形状であるが、繊維、シート又はストリップなどのマクロ構造の形状であり得ることも想定される。
【００４６】
（ｄ）繊維性（「ダスティング」）層
吸収性コア２０に含まれる任意な構成要素は、貯蔵層に隣接する、典型的にはその下に位置する繊維性層であり得る。この下にある繊維性層は、吸収性コアの製造中、貯蔵層の吸収性ゲル材料をその上に堆積させるための基材となるので、典型的には「ダスティング」層と呼ばれる。実際、吸収性ゲル材料が、積層体、又は繊維、シート若しくはストリップなどのマクロ構造の積層体の形状であるような場合、この繊維性「ダスティング」層を含む必要はない。
【００４７】
（ｅ）他の任意な構成成分
吸収性コア２０は、吸収性ウェブに通常存在する他の任意な構成要素を含み得る。例えば、補強スクリムは、吸収性コアの各層内又は各層間に配置され得る。このような補強スクリムは、特に、吸収性コア１２の各層間に配置される場合、流体移動に対する界面障壁を形成しないような構成のものであるべきである。
【００４８】
吸収性コア２０に含まれ、第１又は第２流体分配層の近隣に、又はその一部として供給され得る別の構成要素は、臭気抑制剤である。これらは、活性炭素又はコーティングされた活性炭素、好適なゼオライト又は粘土材料から選択することができる。これらの構成要素は、いかなる所望の形態で配合されていてもよいが、離散した非繊維性粒子として含まれることが多い。
【００４９】
ウィング
本発明の少なくとも１つの、しかし好ましくは２つのウィング（例えば、２２Ａ又は２２Ｂ）は、吸収性コア２０から横に延び得る。本発明のウィングは、バックシート１６若しくはトップシート１２、又はその両方に固定して接合される別個の構成要素であり得る。あるいは、本発明のウィングは、別個の構成要素である必要はないが、バックシート１６若しくはトップシート１２、又はその両方の一部であり得、吸収性コア２０から横に延びている。故に、本発明のウィングに適する材料としては、バックシート１６及びトップシート１２について先に述べた材料が挙げられる。
【００５０】
上述のように、本発明のウィングは、多数の凹部又は溝２４及び隆起部２６を交互に含む（例えば、図９及び図１０に示されるような）少なくとも１つの波形化領域Ｃを備え、隆起部２６は物品の衣類に面する表面１８に向かって隆起し、隆起部２６の頂部３０に取り付けられたグルー２８を有する。
【００５１】
図７〜図９に示すように、隆起部２６及び凹部２４は、横断方向Ｔに延びる。しかしながら、本発明の隆起部２６及び凹部２４は、例えば図１１〜図１５（本発明の物品の幾つかの例示実施形態の簡略化した平面図である）に示すような様々な方向に延びてもよい。図１１は、本発明の婦人衛生物品７０Ａの簡略化した平面図であり、ウィング７２Ａにおける波形Ｃが長手方向中心線Ｌに垂直に延びるのを例証している。図１２は、本発明の婦人衛生物品７０Ｂの簡略化した平面図であり、ウィング７２Ｂにおける波形Ｃが長手方向中心線Ｌに平行に延びるのを例証している。図１３は、本発明の婦人衛生物品７０Ｃの簡略化した平面図であり、ウィング７２Ｃにおける波形Ｃが長手方向中心線Ｌに対してある角度をもって延びるのを例証している。図１４は、本発明の婦人衛生物品７０Ｄの簡略化した平面図であり、ウィング７２Ｄにおける波形Ｃが長手方向中心線Ｌに対して多方向に延びるのを例証している。図１５は、本発明の婦人衛生物品７０Ｅの簡略化した平面図であり、ウィング７２Ｅにおける波形Ｃが長手方向中心線Ｌに対して垂直及び平行の両方に延びるのを例証している。
【００５２】
しかしながら、本発明の波形は、ウィングのみにあるのではなく、本発明の婦人衛生物品のバックシートにもあり得る。例えば、図１６（本発明の婦人衛生物品８０の簡略化した平面図である）に示すように、この物品は、ウィング８２及びバックシート１６の両方に波形を有する。図１６は、長手方向中心線Ｌに垂直に延びる波形Ｃを一例として示しているが、本発明のウィングについて先に述べたように、本発明のウィング及びバックシートにおける波形Ｃは、図１１〜図１５に示すように、長手方向中心線Ｌに対していかなる方向にも延び得る。
【００５３】
例えば図１に例証されるように、従来のウィングがパンティのクロッチ周囲に巻かれるか、又は折り込まれるときにしばしば形成され得る皺（皺４）に関し、本発明のウィングは、望ましくない皺を形成することなく、ユーザーによってパンティのクロッチ領域の周囲に巻かれるか、又は折り込まれることができる。こうした皺の解消は、本発明のウィングの波形化領域の「扇形」特性に起因し、例えば図３に最も良く例証される。本明細書において、用語「扇形」は、巻かれるか、又は折り込まれたウィングの波形化領域の形状であって、パンティ縁部３において隣接する波形（例えば、隆起部２６）間の距離が、パンティ縁部３から更に離れたところに位置する隣接する波形（例えば、隆起部２６）間の距離よりも小さい形状を指す。図３に示すように、パンティ縁部３において隣接する波形間の距離又はピッチＰＳは、パンティ縁部３から更に離れたところに位置する隣接する波形間の距離又はピッチＰＬよりも小さい。この波形が「扇形に広がる（fan）」特性により、望ましくない皺が解消される。
【００５４】
グルー２８に関して、このグルー２８は、使い捨て婦人衛生物品をパンティに取り付ける分野で典型的に使用されるいかなる好適なパンティ締結グルーをも含み得るが、感圧性グルーが好ましい。好適なグルーの例としては、センチュリー・グルーズ社（Century Glues Corporation）によって製造されるセンチュリーＡ−３０５−ＩＶ（Century A-305-IV）、ナショナル・スターチ社（National Starch Company）によって製造されるインスタントロック３４−２８２３（Instant Lock 34-2823）、３シグマ（3 Sigma）によって製造される３シグマ３１５３（3 Sigma 3153）、及びＨ．Ｂ．フラー社（H.B. Fuller Co）によって製造されるフラーＨ−２２３８ＺＰ（Fuller H-2238ZP）が挙げられる。また、他の好適なグルーは、米国特許第４，９１７，６９７号及びＰＣＴ国際公開特許ＷＯ９２／０４０００、ＷＯ９３／０１７８３及びＷＯ９３／０１７８５にも記載されている。
【００５５】
婦人衛生物品１０を使用する前に、パンティ締結グルー２８は、典型的には、剥離材料３２（典型的には、シリコーンコーティング剥離紙、プラスチックフィルム又はあらゆる他の容易に取外し可能な材料を含む）などの保護被覆手段３２（図９及び図１０）によって、汚されたり、望ましくないあらゆる表面に貼り付いたりしないように保護される。保護材料３２は、単一ピースとして、又は、例えば個々のグルー領域を被覆するべく複数ピースで供給されてもよい。
【００５６】
図１０を参照すると、波形化領域Ｃの隣接する隆起部２６（並びに、隣接する凹部２４）間の距離又はピッチＰは、約１ｍｍ〜約５ｍｍの範囲内のいかなる好適なピッチＰであってもよい。同様に、隆起部２６（並びに、隣接する凹部２４）の高さＨは、例えば、約１ｍｍ〜約６ｍｍの好適な範囲内のいかなる好適な高さＨであってもよい。
【００５７】
溝２４及び凹部２６を含む本発明の波形化領域Ｃは、ウェブ材料（平坦であり得る）を２以上の波形ロールの間で変形することによって供給することができ、これら波形ロールは、当業者にはリングロールとしても知られており、互いにある深さで係合する。（これは、図１７及び図１８に関して以下により詳細に述べる。）波形化又はリングロールは、多数の隆起部及び凹部又は溝を有し、ロールの１つの隆起部は、対応するロールの凹部又は溝と係合する（図１８）。波形化又はリングロール工程により、平坦なウェブ材料が変形して、隣接する隆起部２６間（並びに、隣接する溝２４間）のピッチＰを有する波形化材料６２Ａ（図１０）になる。ピッチＰは、係合したリングロールの隣接する隆起部間のピッチとほぼ対応する。波形化材料６２Ａの隆起部（bridges）２６（並びに、凹部２４）の高さＨは、一般にリングロールの係合の深さに応じて変わる。リングロール法は、以下の同一出願人による特許により詳細に記載されている：米国特許第５，１５６，７９３号（ブエル（Buell）ら）及び同第５，７２３，０８７号（チャペル（Chappell）ら）。これら特許の全てを本明細書に参照として組み込む。特に米国特許第５，７２３，０８７号（チャペル（Chappell）ら）に示されるように、リングロールの隆起部及び凹部は、開示されたリングロール法の長手方向、即ち機械方向に対していかなる好適な様式で延びてもよい。
【００５８】
しかしながら、本発明において、上記参考文献に記載されるリングロールプロセスに加え、波形化領域Ｃはまたリングロール工程中に熱処理工程に供されて、変形した波形化材料（図１０の６２Ａ）に記憶が与えられ、それにより波形化領域Ｃの隆起部２６及び凹部２４の変形後のピッチＰ及び高さＨの寸法安定性が更に高まる。これもまた、本発明のウィング、任意に本発明の使い捨て吸収性物品のバックシートに適する本発明の波形化材料を製造する本発明の方法に関して以下により詳細に記載する。
【００５９】
本発明のウィングの形状に関して、本発明の波形化ウィングは、あらゆる好適な形状又は構成を有し得ることに留意すべきである。例えば、図２及び図５は、「キャメルトップ」又は「ハートトップ」の形状をなすウィング２２Ａを示し、図３及び図８は、ほぼ矩形形状を有するウィング２２Ｂを示す。
【００６０】
方法
図１７は、上述した本発明の使い捨て吸収性物品のウィング、又はウィング及びバックシートの両方のための波形化材料を製造するための本発明の方法の簡略化したプロセスダイアグラム５０である。ダイアグラム５０は、少なくとも一対の波形化又はリングロール５４及び５６を含むリングローリング装置５２を示す。リングロール５４及び５６は、ロール５４及び５６の外側表面上に、その間に隆起部及び凹部を形成する多数の歯を有する。上述のように、リングロール５４及び５６の隆起部及び凹部は、いかなる好適な方向に延びてもよいが、図１７は、隆起部及び凹部がプロセスの機械方向、即ち長手方向に平行に延びる実施形態を例証している。
【００６１】
図１８は、線１８−１８に沿って切り取った図６のリングロール５４及び５６の破断分解組立て断面図であり、リングロール５４の歯５８及びリングロール５６の歯６０が深さＤで係合しており、この深さＤは係合した歯５８及び６０の頂部の間を測定したものである。歯５８及び６０はピッチＰ及び高さ５９を有し、このピッチＰ及び高さ５９は上述のように所望の範囲内で変化し得る。
【００６２】
材料６２を示す図１７を再び参照すると、この材料６２は、あらゆる従来の方法で材料ロール（図示せず）から波形化又はリングロール５４及び５６に供給され、逆回転する係合したリングロール５４及び５６の間を通り、波形、即ち係合した歯５８及び６０によって変形され、多数の波形を有する波形化材料になり、これら多数の波形は、（図１０に示すような）ピッチＰ及び高さＨを有する隆起部２６及び溝２４を含み、ウェブ又は機械方向Ｍである材料６２の移動方向に延びている。
【００６３】
本発明のリングロール５４及び５６は、好ましくは加熱され、リングローリング工程中、材料６２に所望の熱処理工程を与える。本発明の方法の熱処理工程は、波形化材料に材料の記憶を与え、それにより、リングロール工程によって形成される波形化材料の隆起部２６及び溝２４のピッチＰ及び高さＨを維持する安定性を高めるのに重要である。
【００６４】
上述の熱処理は、リングロール５４及び５６に設置された好適な熱カートリッジの使用を含めたあらゆる好適な手段によって、又はリングロール５４及び５６の内側又は外側に配置されるあらゆる他の好適な熱処理手段によって与えることができる。例えば、内側の手段としては、リングロール５４及び５６（又は少なくとも１つのリングロール、好ましくは材料６２が少なくとも部分的に巻き付いているリングロール）の内側に配置される熱カートリッジが挙げられ、外側の手段としては、ホットエアブローなどが挙げられる。
【００６５】
熱処理温度は、材料６２、及び材料６２がリングローリングされる速度、即ち熱処理時間に応じていかなる好適な温度でもあり得る。一般に、熱処理温度は、材料６２を含む１以上の材料の融点未満であるべきである。
【００６６】
リングロール５４及び５６のそれぞれの歯５８及び６０の間を通過した後、材料６２は波形化材料６２Ａとなり、リングロールの１つ、例えばリングロール５６の表面上に残り、その後、波形化材料６２Ａはグルーストリップ２８（図１７）及び剥離材料３２と組み合せられる。
【００６７】
剥離材料３２は、材料ロール（図示せず）から、あらゆる従来の方法でリングロール５６へと供給され得る。リングロール５６のところで波形化材料６２Ａと組み合せられる前に、剥離材料３２には、機械方向Ｍに指向された多数のグルーストリップ２８が設けられる。グルーストリップ２８はピッチＰをもって機械方向に互いに離間されており、このピッチＰは、リングロール５４及び５６の隣接する歯又は隆起部間のピッチＰと同じである。グルーストリップ２８は、あらゆる好適な従来の手段によって、例えば、図１７に示すように、ノードソン社（Nordson Corp.）から入手可能な従来のスロットアプリケータなどを含み得るグルーアプリケータ６４によって剥離材料３２へと供給され得る。グルーストリップ２８は、いかなる好適な幅（機械横方向）、例えば１ｍｍ幅、であり得る。グルーストリップ２８は、好ましくは、グルーストリップ２８とリングロール５６の波形とを所望なように整列させるべくリングロール５６に対して適切な近接位置に設けられる。この整列は、図１０に示すように、グルーストリップ２８を波形化材料６２Ａの隆起部２６の頂部３０に適用するのに必要とされる。リングロール５６の波形と剥離材料３２との機械横方向におけるこのような整列は、使い捨て吸収性物品を製造する際に連続するウェブを処理する分野において既知のあらゆる好適な手段によって行うことができる。
【００６８】
図１７は、更に、波形化材料６２Ａの隆起部２６の頂部３０にグルーストリップ２８を取り付けるのに十分な圧力を付与するためのニップロール６６を示す。ニップロール６６は、使い捨て吸収性物品の製造分野において既知のあらゆる好適なニップロールであり得る。
【００６９】
ニップロール６６の後、それらの間にグルーストリップ２８を有する波形化材料６２Ａ及び剥離材料３２は共に複合材料６８を形成し、これが本発明の使い捨て婦人衛生物品の製造に使用され得る。
【００７０】
あるいは、図１９に示すように、グルー２８は、従来の「キッシング（kissing）」技術又はグルー印刷技術（例えば、当該技術分野において既知であるグーテンベルク（Guttenberg）印刷法）によって、波形化材料６２Ａの隆起部２６の頂部３０に直接設けられてもよく、この技術は、グルーアプリケータとして、印刷表面（あらゆる好適な大きさ及び形状の突起を有し、機械方向に対してあらゆる方向に配向され得る３Ｄ表面）上の突起と接触する薄いグルー層でコーティングされた平滑な、又はミクロエンボス加工された外側表面を有するロールを使用することができる。ウィング、又は上述した本発明の使い捨て吸収性物品のウィング及びバックシートの両方を製造するための本発明の代替方法の簡略化されたプロセスダイアグラム５０Ａである図１９に示すように、薄いグルー層２８を有するグルー被覆ロール７０は、波形化材料６２Ａの隆起部２６の頂部３０と接触し、グルー被覆ロール７０から頂部３０へとグルーを移動させ、その後、波形化材料６２Ａと剥離材料３２とを組み合せることができる。
【００７１】
「発明を実施するための最良の形態」で引用したすべての文献は、関連部分において本明細書に参考として組み込まれるが、いずれの文献の引用も、それが本発明に関して先行技術であることを容認するものとして解釈されるべきではない。
【００７２】
本発明の特定の実施形態について説明し記載したが、本発明の精神及び範囲から逸脱することなく他の様々な変更及び修正が可能であることが当業者には自明である。したがって、本発明の範囲内にあるそのようなすべての変更及び修正を、添付の特許請求の範囲で扱うものとする。
【図面の簡単な説明】
【００７３】
【図１】クロッチ領域においてパンティの湾曲した縁部の周囲に巻かれるか、又は折り込まれた使い捨て吸収性物品の従来のウィングを例証する写真であり、従来の折り込まれたウィングは、パンティ縁部の湾曲に適合していない。
【図２】クロッチ領域においてパンティの湾曲した縁部周囲に巻かれるか、又は折り込まれた本発明の使い捨て吸収性物品のウィングの代表的な一実施形態を例証する写真であり、折り込まれたウィングは、パンティ縁部の湾曲に適合している。
【図３】クロッチ領域においてパンティの湾曲した縁部周囲に巻かれるか、又は折り込まれた本発明のウィングの別の実施形態を例証する写真であり、折り込まれたウィングは、パンティ縁部の湾曲に適合している。
【図４】図３の線４−４に沿って切り取った、パンティ縁部周囲に巻かれるか、又は折り込まれ、波形の隆起部の頂部でパンティの対向する両表面にグルーで固着された本発明のウィングの断面図。
【図５】拡張状態にある図４の波形及びパンティ縁部を示す断面図。
【図６】収縮状態にある図４の波形及びパンティ縁部を示す断面図。
【図７】本発明の使い捨て吸収性物品、特に婦人衛生物品の１つの代表的な実施形態の平面図を例証する写真であり、この物品の身体面表面が読者の方を向いている。
【図８】本発明の使い捨て吸収性物品、特に婦人衛生物品の別の実施形態の平面図を例証する写真であり、この物品の身体面表面が読者の方を向いている。
【図９】図８の婦人衛生物品の平面図であり、この物品の衣類に面する面が読者の方を向いている。
【図１０】線１０−１０に沿って切り取った、図９の婦人衛生物品の波形化領域の拡大断面図。
【図１１】本発明の使い捨て吸収性物品の一実施形態の簡略化された平面図であり、波形が長手方向中心線に垂直に延びるのを例証している。
【図１２】本発明の使い捨て吸収性物品の別の実施形態の簡略化された平面図であり、波形が長手方向中心線に平行に延びるのを例証している。
【図１３】本発明の使い捨て吸収性物品の別の実施形態の簡略化された平面図であり、波形が長手方向中心線に対してある角度をもって延びるのを例証している。
【図１４】本発明の使い捨て吸収性物品の別の実施形態の簡略化された平面図であり、波形が長手方向中心線に対して多方向に延びるのを例証している。
【図１５】本発明の使い捨て吸収性物品の別の実施形態の簡略化された平面図であり、波形が長手方向中心線に対して垂直及び平行の両方に延びるのを例証している。
【図１６】本発明の使い捨て吸収性物品の別の実施形態の簡略化された平面図であり、波形がウィング及びバックシートの両方にあるのを例証している。
【図１７】本発明の使い捨て吸収性物品用の波形化材料を製造するための本発明の方法の一実施形態の簡略化されたプロセスダイアグラム。
【図１８】線１８−１８に沿って切り取った、図１７の方法のリングロールの破断拡大断面図。
【図１９】本発明の使い捨て吸収性物品用の波形化材料を製造するための本発明の方法の別の実施形態の簡略化されたプロセスダイアグラム。
【図１】
2007521932.tif 000003
【図２】
2007521932.tif 000004
【図３】
2007521932.tif 000005
【図４】
2007521932.tif 000006
【図５】
2007521932.tif 000007
【図６】
2007521932.tif 000008
【図７】
2007521932.tif 000009
【図８】
2007521932.tif 000010
【図９】
2007521932.tif 000011
【図１０】
2007521932.tif 000012
【図１１】
2007521932.tif 000013
【図１２】
2007521932.tif 000014
【図１３】
2007521932.tif 000015
【図１４】
2007521932.tif 000016
【図１５】
2007521932.tif 000017
【図１６】
2007521932.tif 000018
【図１７】
2007521932.tif 000019
【図１８】
2007521932.tif 000020
【図１９】
2007521932.tif 000021
【国際調査報告】
2007521932.tif 000022
2007521932.tif 000023
2007521932.tif 000024
2007521932.tif 000025